(57)【要約】【課題】カバー部材と植栽部材との間や各パネル間からの漏水を防ぎ、灌水の効率低下を防止でき、また、植物の根腐れを防止することができる壁面緑化パネルが望まれていた。【解決手段】本発明に係る壁面緑化パネルは、植栽基盤を収納する正面に開口を有する植栽空間と、植栽空間の下部に水または養液の少なくとも一方を貯留する貯留部とを有する植栽部材と、植栽部材の前方に設置される、植栽口を有する植栽受け部を前方に向けて突設したカバー部材を備える壁面緑化パネルであって、カバー部材の裏面で、かつ植栽受け部の周囲に、導水部材を突設したことを特徴とする。【選択図】図１
2019170297.tif 000002
【特許請求の範囲】
【請求項１】
植栽基盤を収納する正面に開口を有する植栽空間と、前記植栽空間の下部に水または養液の少なくとも一方を貯留する貯留部とを有する植栽部材と、
前記植栽部材の前方に設置される、植栽口を有する植栽受け部を前方に向けて突設したカバー部材を備える壁面緑化パネルであって、
前記カバー部材の裏面で、かつ前記植栽受け部の周囲に、導水部材を突設したことを特徴とする壁面緑化パネル。
【請求項２】
前記導水部材が、
前記カバー部材の裏面で、かつ前記植栽受け部の下方および側方に突設したものであることを特徴とする請求項１に記載の壁面緑化パネル。
【請求項３】
前記植栽受け部の下方および側方に突設した導水部材が、
裏面視において凵字状またはＵ字状のものであることを特徴とする請求項１または請求項２に記載の壁面緑化パネル。
【請求項４】
前記植栽受け部の下方に突設した導水部材の下端が、
前記貯留部の上端よりも上方に位置するものであることを特徴とする請求項１から請求項３のいずれか一項に記載の壁面緑化パネル。
【請求項５】
前記導水部材が、
前記植栽基盤を押さえるように突設されたものであることを特徴とする請求項１から請求項４のいずれか一項に記載の壁面緑化パネル。
【請求項６】
さらに、
前記カバー部材の裏面の少なくとも端部以外の場所に、前記植栽部材と係止可能な結合部材を設けたものであることを特徴とする請求項１から請求項５のいずれか一項に記載の壁面緑化パネル。
【請求項７】
前記結合部材が、
前記植栽部材に設けられた穴に貫入可能な鉤状部材であることを特徴とする請求項６に記載の壁面緑化パネル。
【発明の詳細な説明】
【技術分野】
【０００１】
本発明は、壁面緑化に用いるパネルに関するものであり、さらに詳しくは植栽部材を覆うカバー部材の裏面に導水部材を設けることによって、各パネル間の隙間や植栽部材とカバー部材の間からの漏水を防止することができる壁面緑化パネルに関するものである。
また、植物が植栽される植栽受け部内の余剰な水や養液を貯留部へと適切に導くことができ、植物の根腐れを防止することができる壁面緑化パネルに関するものである。
【背景技術】
【０００２】
近年、景観の向上やヒートアイランド対策、省エネ対策などの観点から壁面緑化技術が注目され、様々な壁面緑化パネルが開発されている。
係る壁面緑化パネルは、一般的には、内部に吸水材を設けたパネルを、壁面を覆うように複数並べて設置する構造となっている。そして、上方から水や養液を供給することにより、パネル内の吸水材に水や養液を伝わらせて、上方に設置したパネルから下方に設置したパネルへと順次灌水する構造となっている（例えば、特許文献１の［００３２］、［００３５］、［００３６］、［図２］参照）。なお、このようなタイプの壁面緑化パネルは、灌水の維持管理が容易であることから種々開発されている。
しかしながら、上記構造を有する壁面緑化パネルは、水や養液の経路として各パネル同士が繋がった状態であるため、潜在的にパネル間、特に上下に位置するパネル間からの漏水が発生しやすいという課題がある。
【０００３】
また、上記構造を有するパネルの中には、植栽作業を容易にするため、植栽を保持するポケットを設けたタイプのものが開発されている（特許文献２〜４）。
具体的には、特許文献２に記載の発明は、植栽パネル１０と植栽パネル１０が取り付けられる構造物の壁面６２との間に保水吸水シート（保水層）７４が設けられ、植栽パネル１０は、板状のパネル本体１２に形成された開口部１４に植栽容器３０が挿入されて取り付けられた構造となっている（特許文献２の［００３６］、［００５０］、［００５３］、［図１］、［図７］）。
特許文献３に記載の発明は、植栽パネル１０を保水吸水シート（保水層）３４が取り付けられた壁面２４に固定するもので、植栽パネル１０には植物の根部を受けるポケット（根受部）１４が設けられた構造となっている（特許文献３の［００５３］、［００６１］、［００６３］、［図１］、［図２］参照）。
特許文献４に記載の発明は、植物の根部を収容するポケット部を有する表面パネルと壁面に取り付け可能な裏面パネルとの間に植栽マット（吸水材）が設けられた構造となっている（特許文献３の［００２３］、［００２４］、［図１］、［図６］参照）。
【先行技術文献】
【特許文献】
【０００４】
【特許文献１】特開２０１６−９６７５４号公報
【特許文献２】特開２０１１−２４５４３号公報
【特許文献３】特開２００８−２９３２２号公報
【特許文献４】特開２０１０−４５９７６号公報
【発明の概要】
【発明が解決しようとする課題】
【０００５】
しかしながら、係るタイプの壁面緑化パネルは、植栽を保持するポケットを有することから、上方から供給された水や養液はポケット内部にも供給されることになる。すなわち、特許文献１のようなポケットを有しないパネルに比べて、水や養液がパネルの前面側（パネル本体とそれを覆うカバー部材との境界部分）に偏在しやすくなる構造となっている。
その結果、ポケットを有する壁面緑化パネルは、各パネル間のみならず、パネル本体とカバー部材との隙間からも漏水が発生しやすくなってしまうという課題がある。また、この課題は、パネル本体とカバー部材との連結状態が悪い場合や、降雨などによりポケット内に過剰の水が入った場合など、ポケット内の水や養液がスムーズに吸水材に導かれない場合に顕著なものとなる。
【０００６】
また、特許文献２、３の壁面緑化パネルにおいては、カバー部材（植栽パネル）の裏面に植物の根を伸長させるための溝が設けられている構造、すなわちパネル本体とカバー部材との間には空間が存在する構造となっているため、水や養液が溝を伝ってより漏水が発生しやすいという問題がある（特許文献２の［００３３］、［００４１］、［図５］および特許文献３の［００５０］、［００５４］、［００８２］、［００９９］、［図１］、［図１２］参照）。
【０００７】
また、特許文献４のような溝がない壁面緑化パネルにおいても、植物の成長が進みカバー部材（表面パネル）が植物の根に押し上げられた場合には、パネル本体とカバー部材との隙間が広がることになり、漏水が生じやすくなるという問題がある。
【０００８】
このようなパネル間やパネル本体とカバー部材との間からの漏水は、壁面パネルとしての美観を損ねるだけでなく、本来、植栽に使われるはずの水や養液が無駄となるため、灌水の効率が低下してしまうという問題がある。さらに、ポケット内に供給された水や養液がスムーズに吸水材に導かれない（排出されない）場合、植物が根腐れしてしまうという問題も生じる。
従って、特許文献２〜４に記載されているポケットを有するタイプの壁面緑化パネルにおいては、特許文献１のような従前の課題解決に加えて、ポケット内の水や養液をスムーズに吸水材に導くことが必要となる。
【０００９】
そこで、本願発明者らは鋭意検討を行った結果、カバー部材の裏面に導水部材を特定の形態で設けることによって、カバー部材と植栽部材との間や各パネル間からの漏水を発生させることなく、植栽受け部内に供給された余剰の水や養液を貯留部へスムーズに導くことができる壁面緑化パネルを実現できるという知見を得るに至った。
【００１０】
本発明は、上記した従来の問題点に鑑みてなされたものであって、植栽基盤を収納する植栽空間と水や養液を貯留するための貯留部を設けた植栽部材を、導水部材を特定の形態で裏面に設けたカバー部材で覆うことにより、植栽受け部内に供給された余剰の水や養液を貯留部へとスムーズに導くことができ、漏水を防ぎ、灌水の効率低下を防止することができる壁面緑化パネルの提供を目的とするものである。
また、植栽受け部内に供給された余剰の水や養液を貯留部へとスムーズに導くことができ、植物の根腐れを防止することができる壁面緑化パネルの提供を目的とする。
【課題を解決するための手段】
【００１１】
上記目的を達成するために、本発明に係る壁面緑化パネルは、植栽基盤を収納する正面に開口を有する植栽空間と、植栽空間の下部に水または養液の少なくとも一方を貯留する貯留部とを有する植栽部材と、植栽部材の前方に設置される、植栽口を有する植栽受け部を前方に向けて突設したカバー部材を備える壁面緑化パネルであって、カバー部材の裏面で、かつ植栽受け部の周囲に、導水部材を突設したことを特徴とする。
【００１２】
本発明の請求項２に係る壁面緑化パネルは、導水部材が、カバー部材の裏面で、かつ植栽受け部の下方および側方に突設したものであることを特徴とする。
【００１３】
本発明の請求項３に係る壁面緑化パネルは、植栽受け部の下方および側方に突設した導水部材が、裏面視において凵字状またはＵ字状のものであることを特徴とする。
【００１４】
本発明の請求項４に係る壁面緑化パネルは、植栽受け部の下方に突設した導水部材の下端が、貯留部の上端よりも上方に位置するものであることを特徴とする。
【００１５】
本発明の請求項５に係る壁面緑化パネルは、導水部材が、植栽基盤を押さえるように突設されたものであることを特徴とする。
【００１６】
本発明の請求項６に係る壁面緑化パネルは、さらに、カバー部材の裏面の少なくとも端部以外の場所に、植栽部材と係止可能な結合部材を設けたものであることを特徴とする。
【００１７】
本発明の請求項７に係る壁面緑化パネルは、結合部材が、植栽部材に設けられた穴に貫入可能な鉤状部材であることを特徴とする。
【発明の効果】
【００１８】
本発明に係る壁面緑化パネルによれば、カバー部材の裏面でかつ植栽受け部の周囲に導水部材を突設する構成とすることによって、植栽部材とカバー部材との隙間からの水または養液の少なくとも一方の漏れを防止することができる。
【００１９】
本発明の請求項２〜４に係る壁面緑化パネルによれば、導水部材を特定の位置に設置したり、または特定の形態としたりすることによって、より効果的に漏れ防止を行うことができる。
【００２０】
本発明の請求項５に係る壁面緑化パネルによれば、導水部材を植栽基盤の押さえ部材を兼ねたものとすることによって、植栽基盤に供給された水または養液の少なくとも一方を確実に貯留部に導くことができ、より効果的に漏れ防止を行うことができる。
【００２１】
本発明の請求項６、７に係る壁面緑化パネルによれば、カバー部材の裏面の少なくとも端部以外の場所に結合部材を設けることによって、壁面緑化パネル内において導水部材をより確実に漏れを防止することができる位置に配置することができ（植物の成長に伴いカバー部材が植物の根に押し上げられ植栽部材との間の隙間が広くなるのを防ぐことができ）、より効果的に漏れ防止を行うことができる。
【図面の簡単な説明】
【００２２】
【図１】本発明の壁面緑化パネルの一の実施形態を示す断面模式図である。
【図２】図１の壁面緑化パネルを示す斜視図である。
【図３】図１の壁面緑化パネルに用いられる植栽部材を示す模式図である。
【図４】図１の壁面緑化パネルに用いられる筐体（植栽部材の別の実施形態）を示す模式図である。
【図５】図３の植栽部材を図４の筐体に設置した状態を示す模式図である。
【図６】図１の壁面緑化パネルに用いられるカバー部材を示す模式図である。
【図７】図６のカバー部材の裏面を示す模式図である。
【図８】図６のカバー部材の裏面の一部（カバー部材の中段に位置する植栽受け部）を斜め上方向から見た模式図である。
【図９】図６のカバー部材の裏面の一部を斜め上方向から見た別の模式図である。
【図１０】図６のカバー部材の裏面の一部を斜め横方向から見た模式図である。
【発明を実施するための形態】
【００２３】
本発明の実施形態を図面に基づいて説明する。なお、以下に述べる実施形態は本発明を具体化した一例に過ぎず、本発明の技術的範囲を限定するものでない。
【００２４】
（基本構成）
まず、本発明に係る壁面緑化パネルの基本構成を図１、２に基づいて説明する。
本発明に係る壁面緑化パネル１は、植物を植栽するための植栽部材２とその前方（壁面と反対側）に設置され、植栽部材２および植栽部材内の植栽基盤３を保護するカバー部材４とを主な構成とするものである。
なお、図１、２に示す壁面緑化パネルおいては、植栽部材２を筐体５に複数（上下に３段）収納した形態となっている。このように複数の植栽部材を筐体に設置する形態とすれば、施工性の向上やパネルの強度向上を図ることができるので好ましい。
【００２５】
次に、各構成要件を図３〜１０に基づいて説明する。
【００２６】
（植栽部材）
植栽部材２は、図３に示すとおり、およそ直方体で扁平な箱型形状をした容器であり、正面に開口６を有する植栽空間７を設けた構造となっている。また、植栽空間７の下部に貯留部８を設けた構造となっている。本発明に用いられる植栽部材２は、このような構造となっていることによって、植物が根付く植栽基盤３を収納することができ、供給される水や養液を貯留することができる。
【００２７】
また、植栽部材２は、水や養液を植栽基盤３へと供給するための供給口９と、貯留部８に溜まった過剰な水や養液を放出するための放出口１０を設けた構造となっている。
供給口９の位置は特に限定されるものではないが、図３に示すように、植栽部材２の上部に設ければ、灌水ホースや上段に設置した植栽部材２から放出される水や養液を万遍なく下段に設置した植栽基盤３に行き渡らせることができるので好ましい。
放出口１０の位置についても特に限定されるものではないが、植栽部材２の背面下部で、かつ、貯留部８の上端８ａ（植栽部材２の正面の開口６の下端６ａ）よりも低い位置に設けられた構造とすれば、貯留部８に溜まった余剰の水や養液を植栽部材２の正面の開口６から溢れさせることなく（植栽基盤３とカバー部材４との隙間から漏水させることなく）背面側へ放出できるので好ましい。
植栽部材２には、さらに、パネル内の蒸れを防止するための通気孔１１を設けてもよい。
【００２８】
なお、図３に示す植栽部材２は、図５に示すように、植栽部材２を図４に示す筐体５に複数収納して使用することを想定したものであるが、収納する植栽部材２を不要とし、筐体５自体を植栽部材として使用とすることもできる。この場合、例えば図４に示す筐体５を植栽部材として使用する場合には、正面の開口６の下部に板状部材を設け、筐体５の底板および背面板により形成される貯留部を設けた形態とすればよいことになる。
【００２９】
植栽部材２に収納される植栽基盤３の素材や形態については、吸水・保水性があり、植物が根を張ることができるものであれば特に限定されるものではなく、フェルト、スポンジ、布、不織布など各種の材質のものを用いることができる。また、各種材質を積層した形態とすることもできる。
【００３０】
（カバー部材）
カバー部材４は、植栽部材２および植栽部材内の植栽基盤３を保護するために植栽部材２の前方（壁面と反対側）に設置される板状のものであり、図６〜１０に示すとおり、植栽口１２を有する植栽受け部１３を前方（壁面と反対側）に向けて突設した構造となっている。本発明に用いられるカバー部材４は、このような構造となっていることによって、植栽作業を容易に行うことができ、植物の落下を防止することができる。
【００３１】
また、本発明に用いられるカバー部材４は、裏面で、かつ植栽受け部１３の周囲に導水部材１４を設けた構造となっている。本発明に用いられるカバー部材４は、このような構造とすることで、植栽受け部１３内に存在する余剰の水や養液が導水部材１４を伝って貯留部８へとスムーズに導かれることになるのである。
【００３２】
導水部材１４のカバー部材４内における位置については、カバー部材４の裏面で、かつ植栽受け部１３の周囲であれば特に限定されるものではない。
そして、各種の位置の中でも、図７〜１０に示すように、植栽受け部１３の下方および側方に突設すれば、後記するように、植栽受け部１３内の余剰の水や養液あるいは植栽基盤３の前面（カバー部材４側）から滲み出した水や養液を効率よく植栽基盤３や貯留部８へと導くことができるので好ましい。さらに、図１に示すように、植栽受け部１３の下方に突設した導水部材１４の下端１４ａが、貯留部８の上端８ａ（植栽部材２の正面の開口６の下端６ａ）よりも上方に位置するようにすれば、植栽受け部１３内の余剰の水や養液を確実に貯留部８へと導くことができるため、より効果的に漏水を防止できる。
【００３３】
導水部材１４の形態については、植栽受け部１３内の余剰の水や養液あるいは植栽基盤３の前面（カバー部材４側）から滲み出した水や養液を貯留部８へと導くことができれば特に限定されるものではない。
そして、各種の形態の中でも、図７〜１０に示すように、裏面視において凵字状またはＵ字状とすれば、植栽受け部１３内の余剰の水や養液を漏れなく貯留部８へと導くことができるので好ましい。また、導水部材１４の下端１４ａの突出先端１４ｂを貯留部８の上方（植栽空間７内）まで伸ばす形態とすれば、植栽受け部１３内の余剰の水や養液を確実に貯留部８へ導くことができるので好ましい。さらに、導水部材１４の下端１４ａを貯留部８に向けて傾斜させた形態とすることもできる。
なお、図７においては、植栽受け部１３が横方向に配置されている段ごとに導水部材１４を設けた形態となっているが、植栽受け部１３ごとに導水部材１４を設けた形態としてもよい。
【００３４】
さらに、導水部材１４は、植栽基盤３を押さえるように突設することで、植栽基盤３が植栽空間７内で移動するのを防ぐ押さえ部材としての役割を果たすこともできる。また、植栽基盤３を押さえるように突設すれば、導水部材１４と植栽基盤３が密着し、植栽受け部１３内の余剰の水や養液が素早く植栽基盤３に吸水され、貯留部８へとより効率よく導水できるので好ましい。
【００３５】
さらに、本発明に用いられるカバー部材４は、裏面の少なくとも端部以外の場所に、植栽部材２と係止可能な結合部材１５を設けた構造とすることもできる。このような構造とすれば、カバー部材４と植栽部材２の連結性を向上させることができ、その結果導水性能を向上させることができるので好ましい。
【００３６】
結合部材１５の配置（位置や個数）については、カバー部材４の裏面の少なくとも端部以外の場所に設けられていれば特に限定されないが、図１、７に示すように、カバー部材４の外周だけでなく、植栽受け部１３の下部で、かつ植栽部材２に係止した際に植栽部材２の貯留部８に該当しない箇所に設ければ、植栽部材２とカバー部材４との連結性および密着性をさらに向上することができ、導水部材１４の性能をより引き出し確実に貯留部８への導水がなされるので好ましい。
【００３７】
結合部材１５の形態については、特に限定されるものではなく、ビス、ボルト、リベットなどの形態をとることができる。その中でも、植栽部材２および筐体５に設けられた穴１６に貫入し係止できる鉤状の形態（鉤状部材）とすれば、組み立てが容易になり、別部品も不要となることから好ましい。また、植物の根によってカバー部材４が植栽部材２側から前方に押される現象が生じた場合でも、鉤状部材が植栽部材２に引っ掛かるためカバー部材４が浮き上がらず、より効果的に漏水を防止できる。さらに、鉤状の結合部材１５とすれば、植栽部材２と結合した際、穴１６から突出した部分が植栽基盤３の押さえ部材として機能することもできるので好ましい。
【００３８】
植栽受け部１３の形態は、植物を植栽し保持できるものであれば特に限定されない。
そして、各種の形態の中でも、植栽受け部１３の下部については、図１に示すように、植栽受け部１３内の水や養液が植栽部材２側へ流れるよう、前方（植栽受け部の突出先端１３ａ側）から後方（植栽部材２側）へ下り勾配をつけた形態とするのが好ましい。また、植栽受け部１３の上部については、植栽受け部１３の上端１３ｂと突出先端１３ａとを結ぶ傾斜面１７に植栽口１２を設けた形態とすれば、傾斜面１７があることにより特許文献２〜４に示すような植栽口が真上に開口している形態のパネルに比べて降雨時の雨水の浸入を軽減できるので好ましい。また、上記傾斜面１７に植栽口１２が設けられた場合、育苗ポットから抜き出した植栽を斜めに傾斜した状態で設置することができるため、植物が真上の植栽受け部１３に邪魔されることなく成長でき、植栽に日光が当たりやすくなる。さらには、植栽を斜めに設置できる形態とすることで、真上に向けて設置する形態とした場合に比べてパネル全体の厚みを薄くすることができるため、持ち運びやすく施工作業の負担を減らすことができる。具体的には、図１に示すように、下部を前方に向けて凹円弧状に突出するように形成するとともに、上部を突出先端１３ａと上端１３ｂとを結ぶ傾斜面１７とするように形成したものであり、植栽口１２が、傾斜面１７に設けられたものである形態とするのが好ましい。なお、傾斜面１７の角度（Θ）は、鉛直方向に対して１５〜６０°が好ましく、さらに２０〜４５°が好ましい。
【００３９】
植栽受け部１３の配置（位置や個数）については、図２、６、７において、植栽受け部１３を横方向に４つ並べたものを上下に３段に配置したものが示されているが、これに限定されるものではなく種々の配置をとることができる。
【００４０】
次に、上記のように構成された壁面緑化パネル１の施工方法と、動作および作用を図１、２、５に基づいて説明する。
【００４１】
まず、本発明に係る壁面緑化パネル１の植栽部材２（植栽空間７）内に植栽基盤３を設置する。この際、植栽基盤３の下部が貯留部８内に到達するようにしておく。
次に、植栽基盤３を収納した植栽部材２を筐体５内に収納する。
次に、カバー部材４の結合部材１５を植栽部材２および筐体５の穴１６に貫入し係止することによって、カバー部材４を植栽部材２の前面に設置する。
次に、カバー部材４を設置した壁面緑化パネル１を緑化したい壁面にアングル材およびボルト等を用いて施工し、必要に応じて植栽受け部１３に土壌を入れた後、育苗ポットで育てた植物を育苗ポットから抜き取り、その状態のまま植栽受け部１３に挿入することによって植栽を行う。
また、予め植栽受け部１３に植栽を行った後、植栽が完了した壁面緑化パネルを壁面に施工してもよい。このようにすれば、見栄えをよくすることができ、また、壁面緑化パネルに植栽する高所作業の時間も省略または短縮することができるので好適である。
最後に、灌水ホース１８など灌水設備を設置し、全ての植栽部材２の貯留部８に水や養液が貯留されるよう上方から灌水することによって壁面緑化作業（施工作業）を完了する。なお、設置後、必要に応じて水や養液を適宜供給する。
【００４２】
上記のように施工すると、図１に示すように、まず、灌水により上方から供給された水や養液は、供給口９から植栽部材２内に浸入し、収納されている植栽基盤３を通じてまずは貯留部８に貯留され、その後、毛細管現象により植栽基盤３全体に行き渡ることになる。
次に、植栽基盤３全体に水や養液が行き渡った状態（植栽基盤３の上部が十分に保水している状態）で引き続き水や養液の供給がなされると、植栽基盤３の保水力を超えて水や養液が滲み出す場合がある。その場合、滲み出した水や養液は植栽基盤３上部の前方（カバー部材４側）から滴り、植栽を介して植栽受け部１３内に供給されることになる。また、降雨時には植栽口１２から雨水が浸入し、同じく植栽を介して植栽受け部１３内に水が供給されることになる。
そうすると、植栽受け部１３内の水や養液は、植栽受け部１３に設けられた傾斜により植栽部材２側へと流れ、導水部材１４を伝って貯留部８（植栽基盤３）へと導かれることになる。そして、貯留部８へと導かれた水や養液が貯留部８に溜まり、一定量を超えた場合には、水や養液の余剰分が放出口１０より放出され、下方のパネルへと順次水や養液が供給されていくことになる。
【００４３】
従って、本発明に係る壁面緑化パネルを用いれば、植栽受け部内に供給された余剰の水や養液を貯留部へとスムーズに導くことができ、各パネル間の隙間や植栽部材とカバー部材との間からの漏水を防止し、灌水の効率低下を防止することができる。また、植物の根腐れを防止することができる。
【産業上の利用可能性】
【００４４】
本発明は壁面緑化に用いることができる。
【符号の説明】
【００４５】
１      壁面緑化パネル
２      植栽部材
３      植栽基盤
４      カバー部材
５      筐体
６      開口
６ａ    開口の下端
７      植栽空間
８      貯留部
８ａ    貯留部の上端
９      供給口
１０    放出口
１１    通気孔
１２    植栽口
１３    植栽受け部
１３ａ  植栽受け部の突出先端
１３ｂ  植栽受け部の上端
１４    導水部材
１４ａ  導水部材の下端
１４ｂ  導水部材の突出先端
１５    結合部材
１６    穴
１７    傾斜面
１８    灌水ホース
Ｗ      水または養液
【図１】
2019170297.tif 000003
【図２】
2019170297.tif 000004
【図３】
2019170297.tif 000005
【図４】
2019170297.tif 000006
【図５】
2019170297.tif 000007
【図６】
2019170297.tif 000008
【図７】
2019170297.tif 000009
【図８】
2019170297.tif 000010
【図９】
2019170297.tif 000011
【図１０】
2019170297.tif 000012